(57)【特許請求の範囲】
【請求項１】
基礎地盤上に取り付けたベース部材にポスト部材を連結して立設させ、建物の鉄骨柱脚部を取り付けるアンカーボルトをポスト部材に連結して、アンカーボルトの上端ねじ部を突出する態様で基礎コンクリート中に埋設する露出型固定柱脚工法において、前記アンカーボルトの下端側を前記ポスト部材の上端側と平行状態に配置し、所望の高さ位置にオーバーラップさせて連結して垂直方向の位置決め調整を行うＺ軸調整部を設け、前記ベース部材は各アンカーボルト毎に分離して基礎地盤上に取り付け、ポスト部材の下端側又はベース部材のいずれか一方を、Ｘ軸とＹ軸に沿って撓み変形させて水平方向の位置決め調整を行うＸ軸調整部とＹ軸調整部を設け、
前記ポスト部材を長尺なＬアングル材で形成すると共に、一方片と他方片の下端側には遊動可能なねじ挿通孔を穿設し、前記ベース部材は短尺なＬアングル材で形成した第１及び第２ベース部材で構成すると共に、各ベース部材の垂直片をＹ軸とＸ軸に沿って配置し、ポスト部材の一方片と他方片の下端側はねじ挿通孔を介してベース部材の各垂直片にボルトとナットで連結させ、一方片又は他方片のいずれかの一方側を仮止め状態にして他方側で垂直片を押し引きし、仮止めした一方側ボルトの遊動範囲内で垂直片をＸ軸又はＹ軸方向に撓み変形させることを特徴とするアンカーボルトの支持装置。
【請求項２】
基礎地盤上に取り付けたベース部材にポスト部材を連結して立設させ、建物の鉄骨柱脚部を取り付けるアンカーボルトをポスト部材に連結して、アンカーボルトの上端ねじ部を突出する態様で基礎コンクリート中に埋設する露出型固定柱脚工法において、前記アンカーボルトの下端側を前記ポスト部材の上端側と平行状態に配置し、所望の高さ位置にオーバーラップさせて連結して垂直方向の位置決め調整を行うＺ軸調整部を設け、前記ベース部材は各アンカーボルト毎に分離して基礎地盤上に取り付け、ポスト部材の下端側又はベース部材のいずれか一方を、Ｘ軸とＹ軸に沿って撓み変形させて水平方向の位置決め調整を行うＸ軸調整部とＹ軸調整部を設け、
前記ポスト部材を長尺なＬアングル材で形成すると共に、一方片と他方片の下端側に分離した可撓片を設けて遊動可能なねじ挿通孔を穿設し、前記ベース部材はＬ字状の第１及び第２垂直片を水平片に連結して一体に構成すると共に、第１及び第２垂直片をＹ軸とＸ軸に沿って配置し、ポスト部材の各可撓片はねじ挿通孔を介してベース部材の各垂直片にボルトとナットで連結させ、可撓片のいずれかの一方側を仮止め状態にして他方側の可撓片を押し引きし、仮止めした一方側ボルトの遊動範囲内で可撓片をＸ軸又はＹ軸方向に撓み変形させることを特徴とするアンカーボルトの支持装置。
【発明の詳細な説明】
【０００１】
【発明の属する技術分野】
本発明は、基礎コンクリート中に埋設して上端部を突設させた複数本のアンカーボルトに鉄骨柱の柱脚部を緊結する露出型固定柱脚工法に適用し、アンカーボルトの上端部を柱脚部と整合する所定位置に位置決め調整すると共に、アンカーボルトの下端部を基礎コンクリート中で固定支持するために使用するアンカーボルトの支持装置に関する。
【０００２】
【従来の技術】
この種の露出型固定柱脚工法では、例えば本件発明者が先に特願２００１−１８８３５９号として特許出願した基礎コンクリートのアンカーボルト支持装置を含む数多くの提案が行われ且つ実施されているが、これらのアンカーボルト支持装置を用いた露出型固定柱脚工法による柱脚基礎の施工の概要について、特願２００１−１８８３５９号を一例として図１〜４で説明する。
【０００３】
まず、掘削して表面に捨てコンクリートを打設した基礎地盤１上に墨出しを行い、ドリルなどの工具で穿孔してホールインアンカー２を打ち込み、捨てコンクリート上に突出するホールインアンカー２の上端ねじ部を介して、長尺のＬアングル材で形成した左右一対のベース部材３（３Ａ，３Ｂ）をねじ固着させる。
【０００４】
ベース部材３は、詳細は後述するようにＸ軸に沿った水平方向の位置決め調整を行うＸ軸調整部４を介して、各ベース部材３Ａ，３Ｂの間を前後２個所で相互に連結すると共に、各ベース部材３Ａ，３ＢにはＹ軸に沿った水平方向の位置決め調整を行うＹ軸調整部５を介して、長尺のＬアングル材で形成したポスト部材６（６Ａ，６Ｂ，６Ｃ，６Ｄ）を立設状態で連結させる。
【０００５】
ポスト部材６は、詳細は後述するようにＺ軸に沿った垂直方向の位置決め調整を行うＺ軸調整部７を介して、上端側にアンカーボルト８を着脱可能に連結し、アンカーボルト８の上端側ねじ部８ａには仮設部材である添プレート９を、上下のナット１０，１０で狭持して装着させる。
【０００６】
これらのベース部材３とポスト部材６及びアンカーボルト８を主要部とする柱脚支持部１１は、外周囲に鉄筋を配筋（図示を省略）して周囲を囲繞した型枠１２内にコンクリートを打設することによって、上端側ねじ部８ａを除いて基礎コンクリート１３中に埋設させ、柱脚ベースを介して鉄骨柱脚部（図示を省略）と連結し、建物の荷重を基礎地盤１に伝達する柱脚基礎を構成する。
【０００７】
柱脚支持部１１は、複数本（例えば４本）のアンカーボルト８を介して鉄骨柱脚部を支持しているが、基礎地盤１の捨てコンクリート上面が不陸であることなどの原因によって、各アンカーボルト８における上端側ねじ部８ａの高さ位置が異なったり、水平方向に変位して鉄骨柱脚部の建て込み位置に整合できなくなるので、この位置ずれは基礎コンクリート１３を打設する前に予め検出して修正する必要がある。
【０００８】
例えば、上端側ねじ部８ａの高さ位置すなわち垂直方向であるＺ軸は、いずれか１本のアンカーボルト８に対してレベルを用いて地上で計測し、予め設定した基準の高さ位置になるように、Ｚ軸調整部７でアンカーボルト８の高さ調整を行った後に、残りのアンカーボルト８に対しては添プレート９上に水準器を載置し、添プレート９が水平になるようにＺ軸調整部７で位置決め調整を行う。
【０００９】
また、水平方向の位置すなわちＸ軸及びＹ軸は、基礎地盤１の捨てコンクリート上面に十文字状の基準線を墨出しすると共に、添プレート９には基準線と一致する計測穴１４を４個所に設け、この計測穴１４から下げ振り１５を吊り降ろし、各下げ振り１５の先端がそれぞれ基準線と整合するように、Ｘ軸調整部４及びＹ軸調整部５で位置決め調整を行う。
【００１０】
図３で示すように、Ｚ軸調整部７はポスト部材６の上端側に方形状の保持筒１６を取付けねじ１７で固着し、上下端部側がねじ軸で中間にはリブが突出する異形鉄筋で形成したアンカーボルト８を保持筒１６内に挿通させると共に、ポスト部材６に螺合した押さえねじ１８を保持筒１６内へ進退可能に突設させ、押さえねじ１８の先端を各リブ１９，１９間の凹溝面２０に圧接して、Ｚ軸方向の位置決め調整を行ってアンカーボルト８を係止保持している。
【００１１】
図４で示すように、左右に配置されたベース部材３Ａ，３Ｂには、Ｘ軸方向と直交する垂直片２１（２１ａ，２１ｂ）にポスト部材６の下端側が連結されているが、Ｘ軸調整部４には各垂直片２１ａ，２１ｂの間にＸ軸方向に沿った連結ねじ軸２２を設け、連結ねじ軸２２の両端側に垂直片２１を狭持する態様でナット２３を螺合させると共に、連結ねじ軸２２の中間は支持部材２４に装着したナット２５に挿通する態様で支持している。
【００１２】
このＸ軸調整部４では、ナット２３を緩めて垂直片２１から離間した状態で、ポスト部材６の上端側又はアンカーボルト８を修正したいＸ軸方向に押圧し、垂直片２１を撓み変形させてアンカーボルト８の上端側ねじ部８ａの位置を所望な設定位置に移動させた後に、垂直片２１を狭持する態様にナット２３を再度締め付けると、上端側ねじ部８ａを設定位置に位置決めすることができる
【００１３】
図５で示すように、ベース部材３Ａ，３Ｂの各垂直片２１ａ，２１ｂには、ポスト部材６の下端側が連結されているが、Ｙ軸調整部５は上下に配置した２本の連結ねじ２４とナット２５を用い、垂直片２１に連結ねじ２４のねじ軸が密嵌するねじ挿通孔２６を穿設すると共に、ポスト部材６側に連結ねじ２４のねじ軸が遊嵌するねじ挿通孔２７を穿設している。
【００１４】
このＹ軸調整部５では、ナット２５を緩めて垂直片２１に対してポスト部材６が可動できる状態で、ポスト部材６の上端側又はアンカーボルト８を修正したいＹ軸方向に押圧し、連結ねじ２４のねじ軸をねじ挿通孔２７内で遊動させることによって、ポスト部材６を所望角度に傾斜させてアンカーボルト８の上端側ねじ部８ａの位置を所望な設定位置に移動させた後に、ナット２５を再度締め付けて上端側ねじ部８ａを設定位置に位置決めすることができる。
【００１５】
【発明が解決しようとする課題】
このように、図１〜５におけるアンカーボルトの支持装置は、安価な構成で且つねじを緩めたり締め付けする簡単な操作によって、アンカーボルト８の上端側ねじ部８ａの位置をＸＹＺの三方向へ所望に位置決めすることが可能であるが、この先行技術を含む従来技術には解決が必要な幾つかの課題が残されていた。
【００１６】
従来技術では、複数の各アンカーボルトに対してポスト部材は独立した状態で個別に支持しているが、各ポスト部材を立設するベース部材は、方形枠状などで一体形成したベース部材上に全てのポスト部材を立設したり、図１〜５による実施形態のようにＬアングル状の各ベース部材上にそれぞれ２本のポスト部材を立設したりしている。
【００１７】
このように、ポスト部材を介してアンカーボルトを支持するベース部材が、複数の各アンカーボルトを独立した状態で支持していないと、アンカーボルトの水平方向（Ｘ軸方向及び又はＹ軸方向）に対する位置決め調整を行う際に、相互干渉して調整に手間取ったり、個別に高精度で調整できなくなる恐れがあった。
【００１８】
また、一般に基礎の接する地盤面だけでは必要な地耐力が得られない場合には、特に軟弱な地盤を含む場合は図２のように杭頭部２８が捨てコンクリート上に突出する態様で地盤中に支持杭２９を打ち込むが、地盤中の障害物や打ち込み精度によって杭頭部２８がベース部材の中心部を外れる（杭芯と柱芯とが不整合）場合がしばしば発生する。
【００１９】
このように、杭芯と柱芯とが不整合の場合には、ベース部材の一部を嵩上げして杭頭部２８上に設置しなければならない事態となるが、アンカーボルトとポスト部材の間では個別にＺ軸方向への高さ調整は可能であっても、複数のポスト部材がベース部材を共用しているために、標準のベース部材を使用すると各ポスト部材毎に個別に嵩上げできないので、高さの異なる専用のベース部材を格別に製作して対応しなければならなかった。
【００２０】
更に、図１〜５による実施形態のようにＬアングル状の各ベース部材上にそれぞれ２本のポスト部材を立設した構造の場合には、各アンカーボルトが前後又は左右に整合した状態で同じベース部材上から立設されている必要があるので、例えば各アンカーボルトが円周上に沿って立設されていたりその他の形態によって、不整合な状態で立設されている場合には使用することができなかった。
【００２１】
そこで本発明では、これら従来技術の課題を解消し得る露出型固定柱脚工法におけるアンカーボルトの支持装置を提供し、主たる目的は複数のアンカーボルトに対して、相互干渉することなく各アンカーボルトの上端部を個別にＸＹＺの三方向へ位置決め調整できるように、ポスト部材とベース部材で支持すると共に、杭芯と柱芯とが不整合の場合でも標準のベース部材で対応でき、これらを安価な構成で且つねじを緩めたり締め付けする簡単な操作で達成できることである。
【００２２】
【課題を解決するための手段】
本発明は、基礎地盤上に取り付けたベース部材にポスト部材を連結して立設させ、建物の鉄骨柱脚部を取り付けるアンカーボルトをポスト部材に連結して、アンカーボルトの上端ねじ部を突出する態様で基礎コンクリート中に埋設する露出型固定柱脚工法におけるアンカーボルトの支持装置を実施対象とする。
【００２３】
本発明の露出型固定柱脚工法におけるアンカーボルトの支持装置では、前記ベース部材とポスト部材を、各アンカーボルト毎に分離して構成すると共に、Ｘ軸とＹ軸に沿った水平方向及びＺ軸に沿った垂直方向へ、それぞれ単独で位置決め調整可能に支持している。
【００２４】
このアンカーボルトの支持装置では、ポスト部材を介してアンカーボルトを支持するベース部材が、複数の各アンカーボルトを独立した状態で支持しているので、アンカーボルトの水平方向（Ｘ軸方向及び又はＹ軸方向）に対する位置決め調整を相互干渉がない状態で個別に行うことができるので、調整に手間取ることがなく迅速且つ高精度に位置決め調整できる。
【００２５】
また、基礎地盤が軟弱で有ったりして支持杭をベース部材の中心に設定することができず、杭芯と柱芯とが不整合でベース部材の一部を嵩上げして杭頭部上に設置しなければならない場合であっても、各アンカー部材毎に分離して構成した標準のベース部材を使用し、各ポスト部材毎に杭頭部上に個別に嵩上げして対応できるので、ベース部材を共有した従来技術ののように、高さの異なる専用のベース部材を格別に製作して対応する必要がない。
【００２６】
更に、ベース部材を共有した従来技術のように、各アンカーボルトが前後又は左右に整合した状態で同じベース部材上から立設されていないので、例えば各アンカーボルトが円周上に沿って立設されていたり、その他の形態によって不整合な状態で立設されている場合でも、独立した各ベース部材と各ポスト部材によって、各アンカーボルトを個別にＸＹＺ方向へ個別に位置決め調整し、使用することができる。
【００２７】
前記アンカーボルトの下端側を前記ポスト部材の上端側と平行状態に配置し、所望の高さ位置にオーバーラップさせて連結して垂直方向の位置決め調整を行うＺ軸調整部を設け、前記ベース部材は各アンカーボルト毎に分離して基礎地盤上に取り付け、ポスト部材の下端側又はベース部材のいずれか一方を、Ｘ軸とＹ軸に沿って撓み変形させて水平方向の位置決め調整を行うＸ軸調整部とＹ軸調整部を設けた形態を採ることができる。
【００２８】
このアンカーボルトの支持装置では、垂直方向の位置決め調整を行うＺ軸調整部として、連結部材に装着した押さえねじによってアンカーボルトを圧接状態で支持したり、連結部材に装着したナットにアンカーボルトを螺合し、ポスト部材に穿設した位置決め調整孔を選択して連結部材を付け替える形態は勿論、アンカーボルトとポスト部材の間を高さ調整可能に連結する従来公知の技術を含む各種の形態を採ることが可能である。
【００２９】
また、各アンカーボルトに対して水平方向の位置決め調整は、各アンカーボルトを独立して支持するポスト部材とベース部材のいずれか一方を用いて、Ｘ軸調整部とＹ軸調整部を構成し、Ｘ軸とＹ軸に沿って撓み変形させることで容易に達成することができる。
【００３０】
前記アンカーボルトの支持装置は、ポスト部材を長尺なＬアングル材で形成すると共に、一方片と他方片の下端側には遊動可能なねじ挿通孔を穿設し、前記ベース部材は短尺なＬアングル材で形成した第１及び第２ベース部材で構成すると共に、各ベース部材の垂直片をＹ軸とＸ軸に沿って配置し、ポスト部材の一方片と他方片の下端側はねじ挿通孔を介してベース部材の各垂直片にボルトとナットで連結させ、一方片又は他方片のいずれかの一方側を仮止め状態にして他方側で垂直片を押し引きし、仮止めした一方側ボルトの遊動範囲内で垂直片をＸ軸又はＹ軸方向に撓み変形させる形態を採ることができる。
【００３１】
このアンカーボルトの支持装置は、短尺なＬアングル材で垂直片を撓み変形を可能に形成したベース部材と、長尺なＬアングル材で形成した剛性のあるポスト部材を用いてねじ固着する簡単且つ安価な構成であり、ねじを緩めてベース部材の各垂直片をＸ軸方向とＹ軸方向へ所望に撓み変形させた後に、ねじを締め付けて固定する簡単な操作で水平方向の位置決め調整を行うことができる。
【００３２】
前記アンカーボルトの支持装置は、ポスト部材を長尺なＬアングル材で形成すると共に、一方片と他方片の下端側に分離した可撓片を設けて遊動可能なねじ挿通孔を穿設し、前記ベース部材はＬ字状の第１及び第２垂直片を水平片に連結して一体に構成すると共に、第１及び第２垂直片をＹ軸とＸ軸に沿って配置し、ポスト部材の各可撓片はねじ挿通孔を介してベース部材の各垂直片にボルトとナットで連結させ、可撓片のいずれかの一方側を仮止め状態にして他方側の可撓片を押し引きし、仮止めした一方側ボルトの遊動範囲内で可撓片をＸ軸又はＹ軸方向に撓み変形させる形態を採ることができる。
【００３３】
このアンカーボルトの支持装置では、Ｌ字状で剛性のある各垂直片で形成したベース部材と、長尺なＬアングル材で下端側を撓み変形可能な可撓片で形成したポスト部材を用いてねじ固着する簡単且つ安価な構成であり、ねじを緩めてポスト部材の可撓片をＸ軸方向とＹ軸方向へ所望に撓み変形させた後に、ねじを締め付けて固定する簡単な操作で水平方向の位置決め調整を行うことができる。
【００３４】
【発明の実施の形態】
以下に、本発明による露出型固定柱脚工法におけるアンカーボルトの支持装置について、その好適な実施形態を示す図６〜１５に基づいて詳細に説明するが、図６〜９は第１の実施形態による実施例図であって、図６は支持装置を正面図で、図７は支持装置を平面図で、図８は水平（Ｘ軸及びＹ軸）方向に対する位置決め調整状態を斜視図で、図９は垂直（Ｚ軸）方向に対する位置決め調整状態を正面図で、それぞれ示す。
【００３５】
支持装置３０（３０Ａ）は、表面に捨てコンクリートを打設した基礎地盤３１上に、ホールインアンカー３２で固着したベース部材３３と、下端部をベース部材３３と着脱可能にねじ固着して立設したポスト部材３４と、ポスト部材３４の上部側に設けた連結部材３５を介して着脱可能に支持したアンカーボルト３６を主要部として構成され、アンカーボルト３６の上部側ねじ部に図１及び２で示す従来構造と同様に、仮設部材である添プレート（図示を省略）を装着させる。
【００３６】
この第１の実施形態では、４本のアンカーボルト３６が使用されており、各アンカーボルト３６を支持するポスト部材３４には長尺なＬアングル材が使用されると共に、垂直方向の高さ調整を行うＺ軸調整部は図３で示す従来構造と同様に、押さえねじ３５ａを装着した連結部材３５で構成し、ベース部材３３は短尺な２体のＬアングル材で形成した第１ベース部材３７と第２ベース部材３８とで構成されている。
【００３７】
ベース部材３３（３３Ａ，３３Ｂ，３３Ｃ，３３Ｄ）は、第１ベース部材３７の垂直片３７ａをポスト部材３４（３４Ａ，３４Ｂ，３４Ｃ，３４Ｄ）の一片側３９に重合させ、第２ベース部材３８の垂直片３８ａをポスト部材３４の他片側４０に重合させると共に、第１ベース部材３７の水平片３７ｂ上に第２ベース部材３８の水平片３８ｂを重合させた状態で基礎地盤３１上に配置している。
【００３８】
ベース部材３３は、基礎地盤３１の捨てコンクリート上から突設させたホールインアンカー３２の上端ねじ部に水平片３７ｂ及び水平片３８ｂをナット４１で螺着し、垂直片３７ａにポスト部材３４の一片側３９をボルト４２とナット４３で螺着すると共に、垂直片３８ａにポスト部材３４の他片側４０をボルト４４とナット４５で螺着し、各垂直片３７ａ，３８ａを直角状に配置している。
【００３９】
ベース部材３３は、ベース部材３３Ａと３３Ｂ及びベース部材３３Ｃと３３Ｄをそれぞれ左右に整合した状態で配置すると共に、ベース部材３３Ａと３３Ｃ及びベース部材３３Ｂと３３Ｄをそれぞれ前後に整合した状態で分離して配置し、これにより各ベース部材３３Ａ，３３Ｂ，３３Ｃ，３３Ｄには、各ポスト部材３４Ａ，３４Ｂ，３４Ｃ，３４Ｄがそれぞれ独立して立設され、各ポスト部材には複数（４本）の各アンカーボルト３６が独立した状態で連結される。
【００４０】
各ベース部材３３に対する各ポスト部材３４の連結は、図５で示した従来技術の場合と同様に、第１及び第２ベース部材３７，３８の垂直片３７ａ，３８ａにボルト４２，４４が密嵌するねじ挿通孔を穿設すると共に、ポスト部材３４の一片側３９及び他片側４０にボルト４２，４４が遊嵌するねじ挿通孔４６を穿設し、ボルト４２，４４をねじ挿通孔４６に挿通してナット４３，４５で螺着している。
【００４１】
この連結構造では、ナット４３を緩めて垂直片３７ａに対してポスト部材３４の一方片３９が可動できる状態にし、ポスト部材３４の上端側又はアンカーボルト３６を修正したいＸ軸方向に押圧すると、ボルト４２がねじ挿通孔４６内を遊動できる範囲内で、ポスト部材３４の他方片４０で垂直片３８ａを傾斜状態に撓み変形できるので、これによりアンカーボルト３６の上端側に対するＸ軸方向を所望に位置決めし、ナット４３の締結で固定してＸ軸調整部を構成する。
【００４２】
また、ナット４５を緩めて垂直片３８ａに対してポスト部材３４の他方片４０が可動できる状態にし、ポスト部材３４の上端側又はアンカーボルト３６を修正したいＹ軸方向に押圧すると、ボルト４４がねじ挿通孔４６内を遊動できる範囲内で、ポスト部材３４の一方片３９で垂直片３７ａを傾斜状態に撓み変形できるので、これによりアンカーボルト３６の上端側に対するＹ軸方向を所望に位置決めし、ナット４５の締結で固定してＹ軸調整部を構成する。
【００４３】
このようにして、各ベース部材３３と各ポスト部材３４との間で形成された簡単且つ安価なＸ軸調整部とＹ軸調整部によって、各アンカーボルト３６の上端側における水平方向位置を、従来技術のように相互干渉しない状態で個別に調整ができるので、短時間で容易且つ正確に位置決めすることができると共に、この独立したアンカー支持構造によると、各アンカーボルトが前後又は左右に不整合な状態で立設されている場合にも適用することが可能である。
【００４４】
また、各アンカーボルト３６を支持するポスト部材３４とベース部材３３を独立したアンカー支持構造にしたことによって、例えば図９のように基礎地盤３１上に突設する杭頭部４７の杭芯が、各アンカーボルト３６の中心（柱芯）と不整合の場合には、一部のベース部材３３を杭頭部４７上へ個別に嵩上げすると共に、Ｚ軸調整部を構成する連結部材３５によって、ポスト部材３４に対するアンカーボルト３６の連結位置を調整することで対応することができる。
【００４５】
なお、図示した第１の実施形態ではねじ挿通孔４６を縦方向に対して２個所に設けているが、遊動範囲を大きく設定する場合には下部側の孔に対して上部側の孔を大きくしたり、円弧状の長円孔にする形態を採ることもできると共に、このねじ挿通孔４６を１個所にしたり横方向に対して２個所に設ける形態を採ることも可能である
【００４６】
図１０は、各ベース部材３３に対する各ポスト部材３４の他の連結構造を平面図で示しているが、第１の実施形態では第１ベース部材３７の垂直片３７ａと第２ベース部材３８の垂直片３８ａの内側に、ポスト部材３４の一方片３９と他方片４０を連結していたのに対し、図１０（ａ）の連結構造は、第１ベース部材３７の垂直片３７ａと第２ベース部材３８の垂直片３８ａの外側に、ポスト部材３４の一方片３９と他方片４０を連結している実施形態である。
【００４７】
また、図１０（ｂ）の連結構造は、第１ベース部材３７と第２ベース部材３８を重合状態に連結しないで、第１ベース部材３７と第２ベース部材３８を分離して直角状態で２個所に配置させ、第１ベース部材３７の垂直片３７ａの内側にポスト部材３４の一方片３９を連結し、第２ベース部材３８の垂直片３８ａの内側にポスト部材３４の他方片４０を連結した実施形態である。
【００４８】
また、図１１はＺ軸調整部を他の実施形態にした支持装置３０（３０Ｂ）の正面図で、図１２は要部断面図であるが、この実施形態ではポスト部材３４の一方片３９に対して所定間隔毎に位置決め調整孔４８を穿設し、位置決め調整孔４８にはねじ固着する連結部材４９を設けると共に、連結部材４９にはアンカーボルト３６の下端側ねじ部５１を螺合させるナット５０が溶着されている。
【００４９】
支持装置３０Ｂでは、第１の実施形態と同様に独立したベース部材３３によって、ポスト部材３４の下端側を連結支持すると共に、各ベース部材３３に対して各ポスト部材３４がＸ軸及びＹ軸に沿った水平方向に位置調整が可能であり、アンカーボルト３６の上端側ねじ部５２には従来構造と同様に、仮設部材である添プレート５３を上下のナットで狭持する態様で装着している。
【００５０】
支持装置３０ＢにおけるＺ軸調整部では、基礎地盤３１上に突設する杭頭部４７の杭芯が、各アンカーボルト３６の中心（柱芯）と不整合の場合には、一部のベース部材３３を杭頭部４７上へ個別に嵩上げすると共に、Ｚ軸調整部を構成する連結部材４９のポスト部材３４に対する取付け位置を、位置決め調整孔４８のいずれかから選択して粗調整を行い、ナット５０に連結した下端側ねじ部５１の螺合位置によって微調整を行ってアンカーボルト３６の高さ調整をする。
【００５１】
このように、支持装置３０（３０Ａ，３０Ｂ）におけるポスト部材３４とアンカーボルト３６との連結部分は、両者の上下端部側を平行状態でオーバーラップする部分を可変することにより、ベース部材３３を杭頭部４７上に嵩上げしたり、アンカーボルト３６の上端側ねじ部を鉄骨柱脚部の建て込みに適合した高さ位置に設定するＺ軸調整部を構成するが、前記実施形態に限定されることなく同様の機能を有する従来公知の構造を適用した形態を採ることも可能である。
【００５２】
なお、支持装置３０Ａ，３０ＢにおけるＺ軸調整部の得失を簡単に説明すると、支持装置３０Ａの連結部材３５に装着した押さえねじ３５ａによってアンカーボルト３６を圧接状態で支持する場合には、押さえねじ３５ａを締め付けたり緩めたりする簡単な操作で高さ調整を行うことができる利点があるが、締め付け不足によって十分な連結支持力が得られなかったり、アンカーボルト３６の各リブ間に押しねじを整合させる必要があるので、必要な微調整ができなくなる恐れもあるなどの難点もある。
【００５３】
また、支持装置３０Ｂの連結部材４９に装着したナット５０にアンカーボルト３６を螺合し、ポスト部材３４の位置決め調整孔４８を選択して連結部材４９を付け替える場合には、ナット５０に螺着してアンカーボルト３６を強固に支持でき、ねじ調整によって必要な微調整が容易であるなどの利点があるが、連結部材４９を付け替える操作が多少煩雑であるなどの難点もある。
【００５４】
次に、図１３及び図１４は水平方向を調整するＸ軸調整部とＹ軸調整部の他の実施形態であり、図１３は要部斜視図を図１４は要部平面図を示すが、前記した実施形態ではベース部材を撓み変形させて水平方向の調整を行っているのに対し、この実施形態ではポスト部材の下端側に設けた可撓片を撓み変形させて水平方向の調整を行うようにしている。
【００５５】
この実施形態では、ベース部材５４に連結したポスト部材５５の上部側には、支持装置３０（３０Ａ，３０Ｂ）などの場合と同様に、Ｚ軸調整部を介してアンカーボルト３６が高さ調整可能に連結支持（図示は省略）されており、ベース部材５４は第１及び第２の垂直片５６，５７をＬ字状に折り曲げ形成すると共に、各垂直片５６，５７を水平片５８で連結して一体に構成されている。
【００５６】
ポスト部材５５は、一方片５９と他方片６０を有する長尺のＬアングル材で形成し、下端側には各片５９，６０が接合する角部に沿って切欠溝６１を設け、これにより撓み変形が可能な可撓片５９ａ，６０ａが形成され、ベース部材５４は水平片５８をホールインアンカー３２にナット４１で固着している。
【００５７】
ベース部材５４とポスト部材５５との連結は、ベース部材５４の第１垂直片５６の内側にポスト部材５５の可撓片５９ａを重合させ、ボルト６２及びナット６３で固着すると共に、ベース部材５４の第２垂直片５７の内側にポスト部材５５の可撓片６０ａを重合させ、ボルト６４及びナット６５で固着しており、可撓片５９ａ，６０ａにはナット６２，６４が遊動可能な第１の実施形態と同様のねじ挿通孔（図示を省略）が穿設されている。
【００５８】
この連結構造によるＸ軸調整部は、ナット６３を緩めて第１垂直片５６に対してポスト部材５５の可撓片５９ａが可動できる状態にし、ポスト部材５５の上端側又はアンカーボルト３６を修正したいＸ軸方向に押圧すると、ボルト６２がねじ挿通孔内を遊動できる範囲内でポスト部材５５が傾斜し、第２垂直片５７の上端縁に圧接した可撓片６０ａが傾斜状態に撓み変形されるので、これによりアンカーボルト３６の上端側に対するＸ軸方向を所望に位置決めし、ナット６３の締結で固定する。
【００５９】
Ｙ軸調整部は、ナット６５を緩めて第２垂直片５７に対してポスト部材５５の可撓片６０ａが可動できる状態にし、ポスト部材５５の上端側又はアンカーボルト３６を修正したいＹ軸方向に押圧すると、ボルト６４がねじ挿通孔内を遊動できる範囲内でポスト部材５５が傾斜し、第１垂直片５６の上端縁に圧接した可撓片５９ａが傾斜状態に撓み変形されるので、これによりアンカーボルト３６の上端側に対するＹ軸方向を所望に位置決めし、ナット６５の締結で固定する。
【００６０】
なお、図１３及び図１４で図示した実施形態では、ポスト部材５５における一方片５９と他方片６０の下端側を切欠溝で６１で分離させて各可撓片５９ａ，６０ａを形成したが、ポスト部材５５における一方片５９と他方片６０の下端側に対して、別体で形成した板状片を溶着して各可撓片５９ａ，６０ａを構成する形態を採ることも可能である。
【図面の簡単な説明】
【図１】従来技術による露出型固定柱脚工法におけるアンカーボルトの支持装置の斜視図である。
【図２】図１に示したアンカーボルトの支持装置の施工状況における正面図である。
【図３】図１に示したアンカーボルトの支持装置におけるアンカーボルトの高さ位置を調整するＺ軸調整部の拡大斜視図である。
【図４】図１に示したアンカーボルトの支持装置におけるアンカーボルトの水平位置を調整するＸ軸調整部の操作説明を行う拡大正面図である。
【図５】図１に示したアンカーボルトの支持装置におけるアンカーボルトの水平位置を調整するＹ軸調整部の操作説明を行う拡大正面図である。
【図６】本発明による露出型固定柱脚工法におけるアンカーボルトの支持装置を適用した第１の実施形態による支持装置の正面図である。
【図７】図６に示したアンカーボルトの支持装置におけるアンカーボルトの水平位置を調整するＸ軸調整部及びＸ軸調整部の操作説明を行う平面図である。
【図８】図６に示したアンカーボルトの支持装置におけるベース部材とポスト部材の連結構造の斜視図である。
【図９】図６に示したアンカーボルトの支持装置におけるアンカーボルトの垂直位置を調整するＺ軸調整部によってベース部材とポスト部材を嵩上げする操作説明を行う正面図である。
【図１０】図６に示したアンカーボルトの支持装置におけるベース部材とポスト部材の連結構造の別の実施形態を示す平面図である。
【図１１】図６に示したアンカーボルトの支持装置におけるポスト部材とアンカーボルトの連結構造の別の実施形態を示す正面図である。
【図１２】図７に示した連結構造に使用する連結部材の平面図である。
【図１３】図６に示したアンカーボルトの支持装置におけるベース部材とポスト部材の連結構造の更に別の実施形態を示す斜視図である。
【図１４】図７に示した連結構造の平面図である。
【符号の説明】
３０，３０Ａ，３０Ｂ  （アンカーボルトの）支持装置
３１  基礎地盤
３２  ホールインアンカー
３３，３３Ａ，３３Ｂ，３３Ｃ，３３Ｄ，５４  ベース部材
３４  ３４Ａ，３４Ｂ，３４Ｃ，３４Ｄ，５５  ポスト部材
３５，４９  連結部材
３６  アンカーボルト
３７  第１ベース部材
３８  第２ベース部材
３９，５９  （ポスト部材３４の）一方片
４０，６０  （ポスト部材３４の）他方片
４１，４３，４５，５０，６３，６５  ナット
４２，４４，６２，６４  ボルト
４６  ねじ挿通孔
４７  杭頭部
４８  位置決め調整孔
５１  （アンカーボルト３６の）下端側ねじ部
５２  （アンカーボルト３６の）上端側ねじ部
５３  添プレート
５６  （ベース部材５４の）第１垂直片
５７  （ベース部材５４の）第２垂直片
５８  （ベース部材５４の）水平片
【図１】
0003762897.tif 000002
【図２】
0003762897.tif 000003
【図３】
0003762897.tif 000004
【図４】
0003762897.tif 000005
【図５】
0003762897.tif 000006
【図６】
0003762897.tif 000007
【図７】
0003762897.tif 000008
【図８】
0003762897.tif 000009
【図９】
0003762897.tif 000010
【図１０】
0003762897.tif 000011
【図１１】
0003762897.tif 000012
【図１２】
0003762897.tif 000013
【図１３】
0003762897.tif 000014
【図１４】
0003762897.tif 000015